(57)【特許請求の範囲】
【請求項１】
基地局システムにより伝送したサービス信号の出力電力検出データ（ＯＰＤ）及び前記基地局における測定待機装置の反射電力検出データ（ＲＰＤ）を取得するステップと、
第１プリセットしたバンド幅の範囲において、プリセットしたデータ長に基づき、複数の時間帯における、前記ＯＰＤのフィード・バック信号及び前記ＲＰＤのフィード・バック信号をそれぞれ抽出するステップと、
それぞれの時間帯に対応するＯＰＤのフィード・バック信号のスペクトル特性及びＲＰＤのフィード・バック信号のスペクトル特性を決定し、それぞれの時間帯に対応するＯＰＤのフィード・バック信号のスペクトル特性及びＲＰＤのフィード・バック信号のスペクトル特性に基づき、基地局システムの反射係数を決定するステップと、
前記基地局システムの反射係数に基づき、基地局システムの第１プリセットしたバンド幅の範囲における定在波比を決定するステップと
を備え、
それぞれの時間帯に対応するＯＰＤのフィード・バック信号のスペクトル特性及びＲＰＤのフィード・バック信号のスペクトル特性を決定するステップは、
それぞれの時間帯におけるＯＰＤのフィード・バック信号及びＲＰＤのフィード・バック信号に対し高速フーリエ変換を行い、それぞれ時間帯におけるＯＰＤのフィード・バック信号幅の最大振幅、及びそれぞれ時間帯におけるＲＰＤのフィード・バック信号幅の最大振幅を決定するステップ
を備え、
それぞれの時間帯に対応するＯＰＤのフィード・バック信号のスペクトル特性及びＲＰＤのフィード・バック信号のスペクトル特性に基づき、基地局システムの反射係数を決定するステップは、
それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定するステップと、
プリセットしたシステムの誤差項によりそれぞれ時間帯に対応する基地局システムの誤差項を有する反射係数を較正して、それぞれ時間帯に対応する基地局システムの実の反射係数を得るステップであって、前記システムの誤差項は、方向性誤差値と、反射追跡誤差値と、ソースミスマッチ誤差値とを含む前記得るステップと、
全時間帯に対応する較正後の基地局システムの実の反射係数の平均値を計算し、得られた平均値を基地局システムの反射係数とするステップと、
を備えることを特徴とする定在波比を検出するための方法。
【請求項２】
前記システムの誤差項をプリセットするステップは、
基地局システムのショート、基地局システムのオープン及び整合負荷それぞれの場合に、基地局システムにより発送したプリセットしたトレーニングシーケンスのＲＰＤを取得するステップと、
第２プリセットしたバンド幅の範囲において、プリセットしたデータ長に基づき、基地局システムのショート、オープン及び整合負荷の場合の、複数の時間帯における前記プリセットしたトレーニングシーケンスのＲＰＤのフィード・バック信号をそれぞれ抽出するステップであって、第２プリセットしたバンド幅の範囲は、第１プリセットしたバンド幅の範囲より大きく、且つ第１プリセットしたバンド幅の範囲を含む前記抽出ステップと、
基地局システムのショート、オープン及び整合負荷の場合の、それぞれ時間帯に対応する前記プリセットしたトレーニングシーケンスのＲＰＤのフィード・バック信号のスペクトル特性を、決定するステップと、
基地局システムのショートの場合の、それぞれ時間帯に対応する前記プリセットしたトレーニングシーケンスのＲＰＤのフィード・バック信号のスペクトル特性を用い、基地局システムのショートの場合の、基地局システムの誤差項を有する反射係数を決定するステップと、
整合負荷の場合の、それぞれ時間帯に対応する前記プリセットしたトレーニングシーケンスのＲＰＤのフィード・バック信号のスペクトル特性を用い、整合負荷の場合の、基地局システムの誤差項を有する反射係数を決定し、また、基地局システムのオープン場合の、それぞれ時間帯に対応する前記プリセットしたトレーニングシーケンスのＲＰＤのフィード・バック信号のスペクトル特性を用い、基地局システムのオープン場合の、基地局システムの誤差項を有する反射係数を決定するステップと、
基地局システムのショート、基地局システムのオープン及び整合負荷の場合の、基地局システムの誤差項を有する反射係数に基づき、基地局システムの誤差項を決定するステップと
を備えることを特徴とする請求項１に記載の定在波比を検出するための方法。
【請求項３】
それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定するステップは、
それぞれ時間帯におけるＲＰＤのフィード・バック信号の最大振幅と前記時間帯におけるＯＰＤのフィード・バック信号の最大振幅の比率を、前記時間帯に対応する基地局システムの誤差項を有する反射係数として決定するステップを備えることを特徴とする請求項１に記載の定在波比を検出するための方法。
【請求項４】
基地局システムにより発送されたサービス信号の出力電力検出データ（ＯＰＤ）及び前記基地局における測定待機装置の反射電力検出データ（ＲＰＤ）を取得した後、
前記取得した基地局システムにより発送したサービス信号のＯＰＤ及び取得した基地局システムにおける測定待機装置のＲＰＤに対し直流除去処理を行うステップと、
前記直流除去された後のＯＰＤ及び直流除去された後の基地局システムにおける測定待機装置のＲＰＤに対し、ミラー信号の較正処理を行うステップと、
前記ミラー信号の較正処理された後のＯＰＤ及びミラー信号の較正処理された後の基地局システムにおける測定待機装置のＲＰＤに対し、電力幅較正処理を行うステップと、
前記電力幅較正処理後のＯＰＤ及び電力幅較正処理後の基地局システムにおける測定待機装置のＲＰＤに対し、同期補償処理を行うステップと
を備えることを特徴とする請求項１ないし請求項３のいずれか１項に記載の定在波比を検出するための方法。
【請求項５】
基地局システムにより伝送したサービス信号の出力電力検出データ（ＯＰＤ）及び前記基地局における測定待機装置の反射電力検出データ（ＲＰＤ）を取得する電力データ取得ユニットと、
第１プリセットしたバンド幅の範囲において、プリセットしたデータ長に基づき、複数の時間帯における、前記ＯＰＤのフィード・バック信号及び前記ＲＰＤのフィード・バック信号をそれぞれ抽出するフィード・バック信号抽出ユニットと、
それぞれの時間帯に対応するＯＰＤのフィード・バック信号のスペクトル特性及びＲＰＤのフィード・バック信号のスペクトル特性を決定し、それぞれの時間帯に対応するＯＰＤのフィード・バック信号のスペクトル特性及びＲＰＤのフィード・バック信号のスペクトル特性に基づき、基地局システムの反射係数を決定する反射係数決定ユニットと、
前記基地局システムの反射係数に基づき、基地局システムの、前記第１プリセットしたバンド幅の範囲内の定在波比を決定する定在波比決定ユニットと
を備え、
前記反射係数決定ユニットは、それぞれの時間帯に対応するＯＰＤのフィード・バック信号のスペクトル特性及びＲＰＤのフィード・バック信号のスペクトル特性を決定する場合、
それぞれの時間帯におけるＯＰＤのフィード・バック信号及びＲＰＤのフィード・バック信号に対し高速フーリエ変換を行い、それぞれ時間帯におけるＯＰＤのフィード・バック信号幅の最大振幅、及びそれぞれ時間帯におけるＲＰＤのフィード・バック信号幅の最大振幅を決定し、
前記反射係数決定ユニットは、それぞれの時間帯に対応するＯＰＤのフィード・バック信号のスペクトル特性及びＲＰＤのフィード・バック信号のスペクトル特性に基づき、基地局システムの反射係数を決定する場合、
それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定し、
プリセットしたシステムの誤差項によりそれぞれ時間帯に対応する基地局システムの誤差項を有する反射係数を較正して、それぞれ時間帯に対応する基地局システムの実の反射係数を得、前記システムの誤差項は、方向性誤差値と、反射追跡誤差値と、ソースミスマッチ誤差値とを含み、
全時間帯に対応する較正後の基地局システムの実の反射係数の平均値を計算し、得られた平均値を基地局システムの反射係数とする
ことを特徴とする定在波比を検出するための装置。
【請求項６】
前記プリセットしたシステムの誤差項を決定するシステムの誤差項決定ユニットをさらに備えることを特徴とする請求項５に記載の定在波比を検出するための装置。
【請求項７】
前記システムの誤差項決定ユニットは、
基地局システムのショート、基地局システムのオープン及び整合負荷それぞれの場合に、基地局システムにより発送したプリセットしたトレーニングシーケンスのＲＰＤを取得し、
第２プリセットしたバンド幅の範囲において、プリセットしたデータ長に基づき、基地局システムのショート、オープン及び整合負荷の場合の、複数の時間帯における前記プリセットしたトレーニングシーケンスのＲＰＤのフィード・バック信号をそれぞれ抽出し、第２プリセットしたバンド幅の範囲は、第１プリセットしたバンド幅の範囲より大きく、且つ第１プリセットしたバンド幅の範囲を含み、
基地局システムのショート、オープン及び整合負荷の場合の、それぞれ時間帯に対応する前記プリセットしたトレーニングシーケンスのＲＰＤのフィード・バック信号のスペクトル特性を、決定し、
基地局システムのショートの場合の、それぞれ時間帯に対応する前記プリセットしたトレーニングシーケンスのＲＰＤのフィード・バック信号のスペクトル特性を用い、基地局システムのショートの場合の、基地局システムの誤差項を有する反射係数を決定し、整合負荷の場合の、それぞれ時間帯に対応する前記プリセットしたトレーニングシーケンスのＲＰＤのフィード・バック信号のスペクトル特性を用い、整合負荷の場合の、基地局システムの誤差項を有する反射係数を決定し、また、基地局システムのオープン場合の、それぞれ時間帯に対応する前記プリセットしたトレーニングシーケンスのＲＰＤのフィード・バック信号のスペクトル特性を用い、基地局システムのオープン場合の、基地局システムの誤差項を有する反射係数を決定し、
基地局システムのショート、基地局システムのオープン及び整合負荷の場合の、基地局システムの誤差項を有する反射係数に基づき、基地局システムの誤差項を決定する
ことを特徴とする請求項６に記載の定在波比を検出するための装置。
【請求項８】
前記反射係数決定ユニットは、それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定する場合、
それぞれ時間帯におけるＲＰＤのフィード・バック信号の最大振幅と前記時間帯におけるＯＰＤのフィード・バック信号の最大振幅の比率を、前記時間帯に対応する基地局システムの誤差項を有する反射係数として決定する
ことを特徴とする請求項５に記載の定在波比を検出するための装置。
【請求項９】
前記電力データ取得ユニットは、基地局システムにより発送されたサービス信号の出力電力検出データ（ＯＰＤ）及び前記基地局における測定待機装置の反射電力検出データ（ＲＰＤ）を取得した後、
前記取得した基地局システムにより発送したサービス信号のＯＰＤ及び取得した基地局システムにおける測定待機装置のＲＰＤに対し直流除去処理を行い、
前記直流除去された後のＯＰＤ及び直流除去された後の基地局システムにおける測定待機装置のＲＰＤに対し、ミラー信号の較正処理を行い、
前記ミラー信号の較正処理された後のＯＰＤ及びミラー信号の較正処理された後の基地局システムにおける測定待機装置のＲＰＤに対し、電力幅較正処理を行い、
前記電力幅較正処理後のＯＰＤ及び電力幅較正処理後の基地局システムにおける測定待機装置のＲＰＤに対し、同期補償処理を行う
ことを特徴とする請求項５ないし請求項８のいずれか１項に記載の定在波比を検出するための装置。
【発明の詳細な説明】
【技術分野】
【０００１】
本発明は通信技術分野に関し、特に定在波比を検出するための方法及び装置に関する。
【背景技術】
【０００２】
基地局システムにおいて、基地局通信システムの好ましい運行を確保するため、基地局システムの定在波比変化をリアルタイムに把握する必要があり、基地局システムの定在波比に対して頻繁に検出しなければならない。基地局システムの定在波比の検出には、周波数領域反射率（Ｆｒｅｑｕｅｎｃｙ  Ｄｏｍａｉｎ  Ｒｅｆｌｅｃｔｏｍｅｔｒｙ，ＦＤＲ）技術を踏まえるベクター測定方法が一般的に採用されている。
周波数領域反射率技術は、ベクター測定に基づく技術であり、基本原理としては、測定対象となるケーブルに１組の正弦掃引周波数信号（ｓｗｅｐｔ−ｆｒｅｑｕｅｎｃｙ ｓｉｎｅ ｓｉｇｎａｌ）を注ぎ、測定対象となるケーブル上の区切り点または他の反射点により生成された反射信号と入力された正弦掃引周波数信号の加算または減算により、対応のスペクトログラムが生成され、図１に示すようである。信号のベクター及び生成された図形は、周波数軸に沿う波形であり、当該信号のベクターの和に対して高速フーリエ変換（Ｆａｓｔ Ｆｏｕｒｉｅｒ Ｔｒａｎｓｆｏｒｍ, ＦＦＴ）を行って周波数領域情報に転換する。ケーブルの相対伝送速度により測定対象のケーブル上の区切り点または故障点の距離を算出できる。周波数関係図上の波形の数は、ケーブル上の反射点との電気距離と正比例となる。当該高速フーリエ変換及び算出の結果は、距離に対する実の定在波比により表した故障点の特性曲線である。
【０００３】
周波数領域反射率技術が、ベクターの測定技術であり、且つ測定精度が高い技術であるが、当該技術のアルゴリズムの実施が煩雑である。また、周波数領域反射率技術は、掃引周波数信号に形成してデータ ソースとする必要があるため、ＴＤ−ＬＴＥ基地局システムに適用する場合、特定のトレーニングシーケンスを伝送することにより、要求を満足する。しかし、このような特定トレーニングシーケンスが無線通信システムにとって、干渉ソースとなるため、従来技術の場合は、基地局システムにおいて、定在波比を常に検出することができない。一方、基地局通信システムの好ましい運行のため、リアルタイム的、または、定期的に基地局システムの定在波比変化を把握するのは大事である。
よって、ＴＤ−ＬＴＥ基地局システムの好ましい運行を確保するため、基地局システムが定在波比に対しリアルタイムに頻繁に検出する必要があるが、従来の周波数領域反射率技術に用いられる特定トレーニングシーケンスは、通信システムに余計な干渉を与えるため、ＴＤ−ＬＴＥ通信システムの伝送質に影響を与える。
【発明の概要】
【発明が解決しようとする課題】
【０００４】
本発明に係る実施例は、定在波比を検出するための方法及び装置を提供して、特定トレーニングシーケンスを発送しなくても、ＴＤ−ＬＴＥ基地局システムにより発送したダウンリンクサービス信号のみを用いて、定在波比を快速且つ正確に検出するように実施でき、特定トレーニングシーケンスによる基地局システムへの余計な干渉を防ぐことができる。
【課題を解決するための手段】
【０００５】
本発明に係る実施例は、定在波比を検出するための方法を提供し、当該方法は、
基地局システムにより伝送したサービス信号の出力電力検出データ（ＯＰＤ, ｏｕｔｐｕｔ ｐｏｗｅｒ ｄｅｔｅｃｔｉｏｎ ｄａｔａ）及び前記基地局における測定待機装置の反射電力検出データ（ＲＰＤ, ｐｏｗｅｒ ｄｅｔｅｃｔｉｏｎ ｄａｔａ）を取得するステップと、
第１プリセットしたバンド幅の範囲において、プリセットしたデータ長に基づき、複数の時間帯における、前記ＯＰＤのフィード・バック信号及び前記ＲＰＤのフィード・バック信号をそれぞれ抽出するステップと、
それぞれの時間帯に対応するＯＰＤのフィード・バック信号のスペクトル特性及びＲＰＤのフィード・バック信号のスペクトル特性を決定し、それぞれの時間帯に対応するＯＰＤのフィード・バック信号のスペクトル特性及びＲＰＤのフィード・バック信号のスペクトル特性に基づき、基地局システムの反射係数を決定するステップと、
前記基地局システムの反射係数に基づき、基地局システムの第１プリセットしたバンド幅の範囲における定在波比を決定するステップとを備える。
【０００６】
当該方法によれば、ＴＤ−ＬＴＥ基地局システムにより発送したダウンリンクサービス信号のみを用い、プリセットしたフィード・バック信号データ長を抽出する方法を採用して、発送されたダウンリンクサービス信号のフィード・バックを抽出することにより、特定トレーニングシーケンスをシミュレーションする目的を達成し、定在波を快速且つ正確に検出することができるようになり、特定トレーニングシーケンスによる基地局システムへの余計な干渉を防ぐことができる。
好ましくは、それぞれの時間帯に対応するＯＰＤのフィード・バック信号のスペクトル特性及びＲＰＤのフィード・バック信号のスペクトル特性を決定するステップは、
それぞれの時間帯におけるＯＰＤのフィード・バック信号及びＲＰＤのフィード・バック信号に対し高速フーリエ変換を行い、それぞれ時間帯におけるＯＰＤのフィード・バック信号幅の最大振幅、及びそれぞれ時間帯におけるＲＰＤのフィード・バック信号幅の最大振幅を決定するステップを備える。
【０００７】
好ましくは、それぞれの時間帯に対応するＯＰＤのフィード・バック信号のスペクトル特性及びＲＰＤのフィード・バック信号のスペクトル特性に基づき、基地局システムの反射係数を決定するステップは、
それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定するステップと、
プリセットしたシステムの誤差項によりそれぞれ時間帯に対応する基地局システムの誤差項を有する反射係数を較正して、それぞれ時間帯に対応する基地局システムの実の反射係数を得るステップであって、前記システムの誤差項は、方向性誤差値（ｄｉｒｅｃｔｉｏｎａｌ ｅｒｒｏｒ ｖａｌｕｅ）と、反射追跡誤差値（ｒｅｆｌｅｃｔｅｄ ｔｒａｃｋｉｎｇ ｅｒｒｏｒ ｖａｌｕｅ）と、ソースミスマッチ誤差値（ｓｏｕｒｃｅ ｍｉｓｍａｔｃｈ ｅｒｒｏｒ ｖａｌｕｅ）とを含む前記得るステップと、
全時間帯に対応する較正後の基地局システムの実の反射係数の平均値を計算し、得られた平均値を基地局システムの反射係数とするステップとを備える。
【０００８】
好ましくは、前記システムの誤差項をプリセットするステップは、
基地局システムのショート、基地局システムのオープン及び整合負荷の場合、基地局システムにより発送したプリセットしたトレーニングシーケンスのＲＰＤを取得するステップと、
第２プリセットしたバンド幅の範囲において、プリセットしたデータ長に基づき、基地局システムのショート、オープン及び整合負荷の場合の、複数の時間帯における前記プリセットしたトレーニングシーケンスのＲＰＤのフィード・バック信号をそれぞれ抽出するステップであって、第２プリセットしたバンド幅の範囲は、第１プリセットしたバンド幅の範囲より大きく、且つ第１プリセットしたバンド幅の範囲を含む前記抽出ステップと、
基地局システムのショート、オープン及び整合負荷の場合の、それぞれ時間帯に対応する前記プリセットしたトレーニングシーケンスのＲＰＤのフィード・バック信号のスペクトル特性をそれぞれ決定するステップと、
基地局システムのショートの場合の、それぞれ時間帯に対応する前記プリセットしたトレーニングシーケンスのＲＰＤのフィード・バック信号のスペクトル特性を用い、基地局システムのショートの場合の、基地局システムの誤差項を有する反射係数を決定し、整合負荷の場合の、それぞれ時間帯に対応する前記プリセットしたトレーニングシーケンスのＲＰＤのフィード・バック信号のスペクトル特性を用い、整合負荷の場合の、基地局システムの誤差項を有する反射係数を決定し、また、基地局システムのオープン場合の、それぞれ時間帯に対応する前記プリセットしたトレーニングシーケンスのＲＰＤのフィード・バック信号のスペクトル特性を用い、基地局システムのオープン場合の、基地局システムの誤差項を有する反射係数を決定するステップと、
基地局システムのショート、基地局システムのオープン及び整合負荷の場合の、基地局システムの誤差項を有する反射係数に基づき、基地局システムの誤差項を決定するステップとを備える。
【０００９】
当該方法によれば、システムの誤差項をさらに快速且つ正確に取得することができ、基地局システムの誤差をより正確に較正することができるようになる。
好ましくは、それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定するステップは、
それぞれ時間帯におけるＲＰＤのフィード・バック信号の最大振幅と前記時間帯におけるＯＰＤのフィード・バック信号の最大振幅の比率を、前記時間帯に対応する基地局システムの誤差項を有する反射係数として決定するステップを備える。
【００１０】
好ましくは、基地局システムにより発送されたサービス信号の出力電力検出データ（ＯＰＤ）及び前記基地局における測定待機装置の反射電力検出データ（ＲＰＤ）を取得した後、
前記取得した基地局システムにより発送したサービス信号のＯＰＤ及び取得した基地局システムにおける測定待機装置のＲＰＤに対し直流除去処理を行うステップと、
前記直流除去された後のＯＰＤ及び直流除去された後の基地局システムにおける測定待機装置のＲＰＤに対し、ミラー信号の較正処理を行うステップと、
前記ミラー信号の較正処理された後のＯＰＤ及びミラー信号の較正処理された後の基地局システムにおける測定待機装置のＲＰＤに対し、電力幅較正処理を行うステップと、
前記電力幅較正処理後のＯＰＤ及び電力幅較正処理後の基地局システムにおける測定待機装置のＲＰＤに対し、同期補償処理を行うステップとを備える。
当該方法によれば、取得した基地局システムにより発送したサービス信号のＯＰＤ及び取得した基地局システムにおける測定待機装置のＲＰＤへの干渉信号を除去でき、取得した基地局システムにより発送したサービス信号のＯＰＤ及び取得した基地局システムにおける測定待機装置のＲＰＤが同一のレベルの電力幅に維持でき、こうして、検出した定在波比の正確さを確保することができるようになる。
【００１１】
本発明に係る実施により提供する定在波比を検出するための装置は、
基地局システムにより伝送したサービス信号の出力電力検出データ（ＯＰＤ）及び前記基地局における測定待機装置の反射電力検出データ（ＲＰＤ）を取得する電力データ取得ユニットと、
第１プリセットしたバンド幅の範囲において、プリセットしたデータ長に基づき、複数の時間帯における、前記ＯＰＤのフィード・バック信号及び前記ＲＰＤのフィード・バック信号をそれぞれ抽出する反射信号の抽出ユニットと、
それぞれの時間帯に対応するＯＰＤのフィード・バック信号のスペクトル特性及びＲＰＤのフィード・バック信号のスペクトル特性を決定し、それぞれの時間帯に対応するＯＰＤのフィード・バック信号のスペクトル特性及びＲＰＤのフィード・バック信号のスペクトル特性に基づき、基地局システムの反射係数を決定する反射係数の決定ユニットと、
前記基地局システムの反射係数に基づき、基地局システムの、前記第１プリセットしたバンド幅の範囲内の定在波比を決定する定在波比の決定ユニットとを備える。
【００１２】
当該装置によれば、ＴＤ−ＬＴＥ基地局システムにより発送したダウンリンクサービス信号のみを用い、プリセットしたフィード・バック信号データ長を抽出する方法を採用して、発送されたダウンリンクサービス信号のフィード・バックを抽出し、特定トレーニングシーケンスをシミュレーションする目的を達成し、定在波を快速且つ正確に検出することができるようになり、特定トレーニングシーケンスによる基地局システムへの余計な干渉を防ぐことができる。
好ましくは、前記反射係数の決定ユニットは、それぞれの時間帯に対応するＯＰＤのフィード・バック信号のスペクトル特性及びＲＰＤのフィード・バック信号のスペクトル特性を決定する場合、
それぞれの時間帯におけるＯＰＤのフィード・バック信号及びＲＰＤのフィード・バック信号に対し高速フーリエ変換を行い、それぞれ時間帯におけるＯＰＤのフィード・バック信号幅の最大振幅、及びそれぞれ時間帯におけるＲＰＤのフィード・バック信号幅の最大振幅を決定する。
【００１３】
好ましくは、前記反射係数の決定ユニットは、それぞれの時間帯に対応するＯＰＤのフィード・バック信号のスペクトル特性及びＲＰＤのフィード・バック信号のスペクトル特性に基づき、基地局システムの反射係数を決定する場合、
それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定し、
プリセットしたシステムの誤差項によりそれぞれ時間帯に対応する基地局システムの誤差項を有する反射係数を較正して、それぞれ時間帯に対応する基地局システムの実の反射係数を得、前記システムの誤差項は、方向性誤差値と、反射追跡誤差値と、ソースミスマッチ誤差値とを含み、
全時間帯に対応する較正後の基地局システムの実の反射係数の平均値を計算し、得られた平均値を基地局システムの反射係数とする。
【００１４】
好ましくは、当該装置は、前記プリセットしたシステムの誤差項を決定するシステムの誤差項の決定ユニットをさらに備える。
好ましくは、前記システムの誤差項の決定ユニットは、
基地局システムのショート、基地局システムのオープン及び整合負荷それぞれの場合に、基地局システムにより発送したプリセットしたトレーニングシーケンスのＲＰＤを取得し、
第２プリセットしたバンド幅の範囲において、プリセットしたデータ長に基づき、基地局システムのショート、オープン及び整合負荷の場合の、複数の時間帯における前記プリセットしたトレーニングシーケンスのＲＰＤのフィード・バック信号をそれぞれ抽出し、第２プリセットしたバンド幅の範囲は、第１プリセットしたバンド幅の範囲より大きく、且つ第１プリセットしたバンド幅の範囲を含み、
基地局システムのショート、オープン及び整合負荷の場合の、それぞれ時間帯に対応する前記プリセットしたトレーニングシーケンスのＲＰＤのフィード・バック信号のスペクトル特性を、決定し、
基地局システムのショートの場合の、それぞれ時間帯に対応する前記プリセットしたトレーニングシーケンスのＲＰＤのフィード・バック信号のスペクトル特性を用い、基地局システムのショートの場合の、基地局システムの誤差項を有する反射係数を決定し、整合負荷の場合の、それぞれ時間帯に対応する前記プリセットしたトレーニングシーケンスのＲＰＤのフィード・バック信号のスペクトル特性を用い、整合負荷の場合の、基地局システムの誤差項を有する反射係数を決定し、また、基地局システムのオープン場合の、それぞれ時間帯に対応する前記プリセットしたトレーニングシーケンスのＲＰＤのフィード・バック信号のスペクトル特性を用い、基地局システムのオープン場合の、基地局システムの誤差項を有する反射係数を決定し、
基地局システムのショート、基地局システムのオープン及び整合負荷の場合の、基地局システムの誤差項を有する反射係数に基づき、基地局システムの誤差項を決定する。
当該装置によれば、システムの誤差項をさらに快速且つ正確に取得することができ、基地局システムの誤差をより正確に較正することができるようになる。
【００１５】
好ましくは、前記反射係数の決定ユニットは、それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定する場合、
それぞれ時間帯におけるＲＰＤのフィード・バック信号の最大振幅と前記時間帯におけるＯＰＤのフィード・バック信号の最大振幅の比率を、前記時間帯に対応する基地局システムの誤差項を有する反射係数として決定する。
【００１６】
好ましくは、前記電力データ取得ユニットは、
基地局システムにより発送されたサービス信号の出力電力検出データ（ＯＰＤ）及び前記基地局における測定待機装置の反射電力検出データ（ＲＰＤ）を取得した後、前記取得した基地局システムにより発送したサービス信号のＯＰＤ及び取得した基地局システムにおける測定待機装置のＲＰＤに対し直流除去処理を行い、
前記直流除去された後のＯＰＤ及び直流除去された後の基地局システムにおける測定待機装置のＲＰＤに対し、ミラー信号の較正処理を行い、
前記ミラー信号の較正処理された後のＯＰＤ及びミラー信号の較正処理された後の基地局システムにおける測定待機装置のＲＰＤに対し、電力幅較正処理を行い、
前記電力幅較正処理後のＯＰＤ及び電力幅較正処理後の基地局システムにおける測定待機装置のＲＰＤに対し、同期補償処理を行う。
【発明の効果】
【００１７】
当該装置によれば、取得した測定データ中の干渉信号を除去でき、取得した測定データ在電力幅が同一のレベルに維持でき、こうして、測定データの正確さを確保する。
【図面の簡単な説明】
【００１８】
【図１】周波数領域反射率技術の原理を示す図である。
【図２】本発明に係る実施例により提供する定在波比の検出方法のフローチャートである。
【図３】本発明に係る実施例により提供するシステムの誤差項の検出方法のフローチャートである。
【図４】ベクターネットワーク・アナライザの単一ポートのキャリブレーションモデルの原理を示す図である。
【図５】本発明に係る実施例により提供する定在波比検出的フローチャートである。
【図６】本発明に係る実施例における基地局により発送するサービス信号の時間領域特性曲線である。
【図７】本発明に係る実施例における基地局により発送するサービス信号の周波数領域特性曲線である。
【図８】本発明に係る実施例により発送する定在波比検出装置の構造図である。
【発明を実施するための形態】
【００１９】
本発明に係る実施例は定在波比を検出するための方法及び装置を提供して、特定トレーニングシーケンスを発送しなくても、ＴＤ−ＬＴＥ基地局システムにより発送したダウンリンクサービス信号のみを用いて、定在波比に対し快速且つ正確に検出することができ、特定トレーニングシーケンスによる基地局システムへの余計な干渉を防ぐことができる。
本発明に係る実施例の技術案によれば、改善した周波数領域反射率技術及びベクターネットワーク・アナライザ的単一ポートによる較正技術を踏まえ、ＴＤ−ＬＴＥ基地局システムにより発送したダウンリンクサービス信号のみを用いて、定在波比を、リアルタイム的、正確かつ快速に検出できることにより、定在波比検出の際の、特定トレーニングシーケンスの発送による基地局システムへの余計な干渉を防ぐことができる。
図２に示すように、本発明に係る実施例が提供する定在波比を検出するための方法は、下記のステップを備える。
Ｓ２０１において、基地局システムにより伝送したサービス信号の出力電力検出データ（ＯＰＤ）及び前記基地局における測定待機装置の反射電力検出データ（ＲＰＤ）を取得する。
【００２０】
Ｓ２０２において、第１プリセットしたバンド幅の範囲において、プリセットしたデータ長に基づき、複数の時間帯における、前記ＯＰＤのフィード・バック信号及び前記ＲＰＤのフィード・バック信号をそれぞれ抽出する。
Ｓ２０３において、それぞれの時間帯に対応するＯＰＤのフィード・バック信号のスペクトル特性及びＲＰＤのフィード・バック信号のスペクトル特性を決定し、それぞれの時間帯に対応するＯＰＤのフィード・バック信号のスペクトル特性及びＲＰＤのフィード・バック信号のスペクトル特性に基づき、基地局システムの反射係数を決定する。
Ｓ２０４において、前記基地局システムの反射係数に基づき、基地局システムの第１プリセットしたバンド幅の範囲における定在波比を決定する。
好ましくは、ステップＳ２０３における基地局システムの反射係数を決定する正確さを向上するため、システムの誤差項を用いて、基地局システムの反射係数に対し、システム誤差較正を行うため、Ｓ２０３の前に、まず、システムの誤差項を決定する必要がある。
【００２１】
一般に、地局装置の出荷の前に、システムの誤差項を一括的な較正をする必要があり、かつ、較正しようとするシステムの誤差項を、基地局システム内のメモリ（例えばＥ２ＰＲＯＭ）に格納する。なので、システムの誤差を較正する場合、基地局システム内のメモリからシステムの誤差項を読み出すことができ、大量なテスト時間及びコストを節約することができる。
図３に示すように、システムの誤差項の検出ステップは、以下のステップを備える。
Ｓ３０１において、ＴＤ−ＬＴＥ基地局システムは、プリセットしたトレーニングシーケンスを発送する。ここで、プリセットしたトレーニングシーケンスは、１組の正弦掃引周波数信号であるが、ＴＤ−ＬＴＥ基地局システムにおいて、特定トレーニングシーケンスとして表される。
Ｓ３０２において、基地局システムのショート、基地局システムのオープン及び整合負荷が５０オームである場合、基地局システムにより発送したプリセットしたトレーニングシーケンスの反射電力検出データ（Ｒｅｆｌｅｃｔｅｄ Ｐｏｗｅｒ Ｄｅｔｅｃｔｉｏｎ，ＲＰＤ）を取得する。
Ｓ３０３において、基地局システムのショート、基地局システムのオープン及び整合負荷が５０オームである場合に取得したＲＰＤに対し、以下のように処理する。
【００２２】
基地局システムのショート、基地局システムのオープン及び整合負荷が５０オームである場合に取得したＲＰＤに対し、直流除去処理を行う。
基地局システムのショート、基地局システムのオープン及び整合負荷が５０オームである場合に取得した、直流除去されたＲＰＤのミラー信号に対し、較正処理を行う。
ここで、前記取得したＲＰＤのミラー信号に対し較正処理を行うことは、取得したＲＰＤのミラー信号から、当該ＲＰＤのミラー信号の実数部信号及び虚数部信号それぞれを抽出し、抽出された実数部信号及び虚数部信号それぞれに対し幅の較正を行う。例えば、幅較の場合、前記実数部信号と虚数部信号の幅の差を算出し、そして、当該算出した幅の差に対して、デジタル補償を行う。
ミラー信号の較正処理された後の基地局システムのショート、基地局システムのオープン及び整合負荷が５０オームである場合に取得したＲＰＤに対し、同期補償処理を行う。即ち、いかなる場合に取得したＲＰＤを基準として、他の２つの場合に取得したＲＰＤに対し、時間領域の同期化を行う。
前記取得したＲＰＤのミラー信号に対する較正処理は、取得したＲＰＤのミラー信号から、当該ＲＰＤのミラー信号の実数部信号及び虚数部信号を抽出して、抽出された実数部信号及び虚数部信号の位相を較正する。例えば、位相較正の場合、前記実数部信号と虚数部信号の位相の差を算出して、当該算出された位相の差に対しデジタル補償を行う。
【００２３】
Ｓ３０４において、同期補償処理された後の基地局システムのショート、オープン及び整合負荷の場合に取得したＲＰＤにより、プリセットしたバンド幅の範囲Ｂ１において、プリセットしたデータ長に基づき、基地局システムのショート、オープン及び整合負荷の場合の、複数の時間帯における前記プリセットしたトレーニングシーケンスのＲＰＤのフィード・バック信号をそれぞれ抽出する。
Ｓ３０５において、基地局システムのショート、オープン及び整合負荷の場合の、それぞれ時間帯に対応する前記プリセットしたトレーニングシーケンスのＲＰＤのフィード・バック信号のスペクトル特性を、決定する。ここで、スペクトル特性は、それぞれ時間帯に対応するプリセットしたトレーニングシーケンスのＲＰＤのフィード・バック信号幅の最大振幅である。
【００２４】
Ｓ３０６において、基地局システムのショートの場合の、それぞれ時間帯に対応する前記プリセットしたトレーニングシーケンスのＲＰＤのフィード・バック信号幅の最大振幅を用い、基地局システムのショートの場合の、基地局システムの誤差項を有する反射係数を決定し、整合負荷が５０オームの場合の、それぞれ時間帯に対応する前記プリセットしたトレーニングシーケンスのＲＰＤのフィード・バック信号幅の最大振幅を用い、整合負荷が５０オームの場合の、基地局システムの誤差項を有する反射係数を決定する。また、基地局システムのオープン場合の、それぞれ時間帯に対応する前記プリセットしたトレーニングシーケンスのＲＰＤのフィード・バック信号幅の最大振幅を用い、基地局システムのオープン場合の、基地局システムの誤差項を有する反射係数を決定する。
【００２５】
Ｓ３０７において、基地局システムのショート、基地局システムのオープン及び整合負荷が５０オームの場合の、基地局システムの誤差項を有する反射係数に基づき、基地局装置的システムの誤差項を決定する。システムの誤差項は、方向性誤差値と、反射追跡誤差値と、ソースミスマッチ誤差値とを含む。
好ましくは、Ｓ３０３において、取得した基地局システムにより発送したサービス信号のＯＰＤ及び基地局における測定待機装置のＲＰＤのデータ信号に対する処理は、Ｓ３０２の、基地局システムのショート、基地局システムのオープン及び整合負荷が５０オームの場合の、取得した基地局システムにより発送したプリセットしたトレーニングシーケンスの反射電力検出データのみを対象とすることではなく、抽出された基地局システムのショート、オープン及び整合負荷の場合の、複数の時間帯における前記プリセットしたトレーニングシーケンスのＲＰＤのフィード・バック信号に対し、信号処理を行ってもよい。こうして、システムの誤差項検出の正確さを確保する。
【００２６】
ここで、図４に示すように、ベクターネットワーク・アナライザの単一ポートによる較正技術により、基地局装置のシステムの誤差項を決定することについて、以下、詳しく説明する。
ベクターネットワーク・アナライザの単一ポートによる較正技術により、得られたシステムの、有誤差項を有する反射係数の計算数式は、式１とする。
【数１】
0006283769.tif 000002
ここで、
Γｍ
は、システムの、誤差項を有する反射係数であり、aは入力信号ストリームであり、bは出力信号ストリームであり、
Ｄ
は方向性誤差値であり、
Ｒ
は反射追跡誤差値であり、
Ｓ
はソースミスマッチ誤差値であり、
Ｓ１１
は、システム実の反射係数である。
【００２７】
好ましくは、基地局システムのショート、基地局システムのオープン及び整合負荷が５０オームの場合において、測定を３回して、基地局システム中帯有システムの誤差項の反射係数を決定することにより、システムの、方向性誤差値Ｄ、反射追跡誤差値Ｒ及びソースミスマッチ誤差値Ｓとの３種の誤差値を決定することができる。詳しい計算ステップは、以下、説明する。
基地局システムのショートの場合、第１回の測定を行い、基地局システムの、誤差項を有する反射係数が
Ｍ１
、システムの実の反射係数
Ｓ１１＝−１
であることを測定し得、式１は式２に変形される。
【数２】
0006283769.tif 000003
基地局システムのオープンの場合、第２回の測定を行い、基地局システムの、誤差項を有する反射係数Ｍ２
、システム中実の反射係数
Ｓ１１＝１
であることを測定し得、式１は式３に変形される。
【数３】
0006283769.tif 000004
基地局システムの整合負荷が５０オームの場合、第２回の測定を行い、基地局システムの、誤差項を有する反射係数
Ｍ３
、システムにおける実の反射係数
Ｓ１１＝０
であることを測定し得、式１は式４に変形される。
Ｍ３＝Ｄ                                  （式４）
式２、式３及び式４により、システムの誤差項を算出でき、即ち、方向性誤差値Ｄ、反射追跡誤差値Ｒ及びソースミスマッチ誤差値Ｓを算出する。
【数４】
0006283769.tif 000005
好ましくは、システムの誤差項の検出データの正確性を確保するため、ステップＳ２０１の前に、プリセットしたトレーニングシーケンスにおけるミラー信号に対し較正処理を行うことができる。
【００２８】
以下、さらに正確な定在波比を得るための方法の流れを説明する。
図５に示すように、定在波比の検出流れは、下記のステップを備える。
Ｓ５０１において、ＴＤ−ＬＴＥ基地局システムは、ダウンリンクサービス信号を発送する。ＴＤ−ＬＴＥ基地局システムにより発送したダウンリンクサービス信号の時間・周波数特性は、図６及び図７に示されている。
好ましくは、定在波比検出データの正確さを確保するため、ステップＳ５０１の前に、ＴＤ−ＬＴＥ基地局システムにより発送したダウンリンクサービス信号のミラー信号に対し、較正処理を行うことができる。
Ｓ５０２において、基地局システムにより発送されたサービス信号の出力電力検出データ（Ｏｕｔｐｕｔ Ｐｏｗｅｒ Ｄｅｔｅｃｔｉｏｎ，ＯＰＤ）を取得する。
基地局システムにより発送したサービス信号の出力電力検出データを取得することにより、基地局システム内の非線形の装置（例えば、パワーアンプ等）の動作状態をより正確に反映でき、定在波比検出の正確さを向上することができる。
Ｓ５０３において、基地局システムにおける測定待機装置（例えば、アンテナ等の装置）のＲＰＤを取得する。
【００２９】
Ｓ５０４において、取得した基地局システムにより発送したサービス信号のＯＰＤ及び基地局における測定待機装置のＲＰＤに対し、直流除去処理を行う。取得した基地局システムにより発送したサービス信号のＯＰＤ及び基地局における測定待機装置のＲＰＤは、大きい直流コンポーネント（ｄｉｒｅｃｔ ｃｕｒｒｅｎｔ ｃｏｍｐｏｎｅｎｔｓ）を有するため、検出データの正確さへ影響を与える。よって、基地局システムにより発送されたサービス信号のＯＰＤ及び基地局における測定待機装置のＲＰＤを取得した後、取得した基地局システムにより発送したサービス信号のＯＰＤ及び基地局における測定待機装置のＲＰＤに対し、直流除去処理を行うことが必要である。さらに、伝送中にミラー信号が生成されるため、取得した基地局システムにより発送したサービス信号のＯＰＤ及び基地局における測定待機装置のＲＰＤ中の干渉信号を除去するため、直流除去された後のＯＰＤ及び直流除去された後の基地局システムにおける測定待機装置のＲＰＤのミラー信号を較正する。
【００３０】
Ｓ５０５において、ミラー信号の較正処理された後のＯＰＤ及びミラー信号の較正処理された後の基地局システムにおける測定待機装置のＲＰＤについて、電力幅を較正する。サービス信号の伝送電力が不確実であるため、測定の正確さを確保するため、ミラー信号の較正処理された後のＯＰＤ及びミラー信号の較正処理された後の基地局システムにおける測定待機装置のＲＰＤについて、電力幅を較正すべきである。
Ｓ５０６において、電力幅が較正処理後のＯＰＤ及び電力幅が較正処理後の基地局システムにおける測定待機装置のＲＰＤに対し、同期補償処理を行う。基地局システムにより発送されたサービス信号のＯＰＤ及び基地局における測定待機装置のＲＰＤへの採取には、時間及び位相において遅延が出る。また、ベクターネットワーク・アナライザの単一ポートによる較正技術が、取得した電力データの信号の位相メッセージと関わるため、電力幅が較正処理後のＯＰＤ及び電力幅が較正処理後の基地局システムにおける測定待機装置のＲＰＤに対し、同期補償処理を行うべきである。
【００３１】
好ましくは、ミラー信号の較正処理された後のＯＰＤ及びミラー信号の較正処理された後の基地局システムにおける測定待機装置のＲＰＤに対し、電力幅を較正する場合、基地局システムが出荷する際に較正した取得したＲＰＤの電力幅を基準として、ミラー信号の較正処理された後のＯＰＤ及びミラー信号の較正処理された後の基地局システムにおける測定待機装置のＲＰＤの電力幅を、較正する。
Ｓ５０４からＳ５０６までは、Ｓ５０２及びＳ５０３の、取得した基地局システムにより発送したサービス信号のＯＰＤ及び基地局における測定待機装置のＲＰＤだけではなく、抽出された複数の時間帯における、ＯＰＤのフィード・バック信号及びＲＰＤのフィード・バック信号に対しても、信号処理を行うことができ、こうして、定在波比検出の正確さを確保する。
【００３２】
Ｓ５０７において、プリセットしたバンド幅
Ｂ２
の範囲において、プリセットしたデータ長に基づき、複数の時間帯におけるＯＰＤのフィード・バック信号及びＲＰＤのフィード・バック信号それぞれを抽出する。ここで、Ｂ１
範囲は、
Ｂ２
範囲より大きく、且つそれを含む。
Ｂ１
範囲が
Ｂ２
範囲より小さい場合、ＴＤ−ＬＴＥ基地局システムのメモリに格納された基地局システムの誤差項は、バンド幅の範囲を超えて抽出された時間帯に対応する基地局システムの実の反射係数の決定に、用いられなくなる。
Ｓ５０８において、抽出されたそれぞれ時間帯のＯＰＤのフィード・バック信号及びＲＰＤのフィード・バック信号に対し、高速フーリエ変換(ＦＦＴ)を行う。抽出されたフィード・バック信号に対し、高速フーリエ変換(ＦＦＴ)を行う
【００３３】
取得した基地局システムにより発送したサービス信号のＯＰＤ及び基地局システムにおける測定待機装置のＲＰＤは、サービス信号の電力幅の時間領域上の特性を表すため、プリセットしたバンド幅
Ｂ２
範囲において、抽出されたＯＰＤのフィード・バック信号のデータ長をＦとし、バンド幅
Ｂ２
範囲で抽出されたＯＰＤのフィード・バック信号の、時間領域上のサンプリングポイントにおけるデータ長がLであれば、抽出されたＯＰＤのフィード・バック信号の数がＴであり、Ｔ = L / Ｆ。即ち、ＯＰＤは、Ｔ個の時間帯におけるフィード・バック信号を有する。プリセットしたバンド幅
Ｂ２
範囲において、抽出されたＲＰＤのフィード・バック信号のデータ長がＦであり、バンド幅
Ｂ２
範囲で抽出されたＲＰＤのフィード・バック信号の、時間領域上のサンプリングポイントにおけるデータ長がLであれば、抽出されたＲＰＤのフィード・バック信号の数はＴであり、Ｔ = L / Ｆ。即ち、ＲＰＤも、Ｔ個の時間帯におけるフィード・バック信号を有する。
【００３４】
好ましくは、Ｓ５０７及びＳ５０８において、まず、取得した基地局システムにより発送したサービス信号のＯＰＤ及び基地局における測定待機装置のＲＰＤに対し高速フーリエ変換を行って、フィード・バック信号の周波数領域特性曲線を得て、プリセットしたバンド幅
Ｂ２
範囲において、
プリセットした周波数帯において、複数の周波数帯のＯＰＤのフィード・バック信号及びＲＰＤのフィード・バック信号を抽出する、こともできる。取得した基地局システムにより発送したサービス信号のＯＰＤ及び基地局における測定待機装置のＲＰＤに対し高速フーリエ変換を先に行うため、取得した基地局システムにより発送したサービス信号のＯＰＤのフィード・バック信号の周波数領域特性曲線及び取得した基地局における測定待機装置のＲＰＤのフィード・バック信号の周波数領域特性曲線それぞれを得、プリセットしたバンド幅
Ｂ２
範囲において、抽出されたＯＰＤのフィード・バック信号の周波数帯がＧである。そうすると、抽出されたＯＰＤのフィード・バック信号の数がＴ = Ｂ２ / Ｇであり、即ち、ＯＰＤは、Ｔ個の周波数帯のフィード・バック信号を有する。プリセットしたバンド幅
Ｂ２
範囲において、抽出されたＲＰＤのフィード・バック信号の周波数帯がＧであれば、抽出されたＲＰＤのフィード・バック信号の数がＴ = Ｂ２ / Ｇであり、即ち、ＲＰＤは、Ｔ個の周波数帯のフィード・バック信号を有する。
【００３５】
好ましくは、ＴＤ−ＬＴＥ基地局システムがＯＦＤＭをベースとして変調されるものであるため、スペクトルには、一定の重なりがある。これは、抽出されたフィード・バック信号のスペクトル情報に損害を与える。ただし、抽出されたフィード・バック信号に対し、平均値処理を行った後、固定周波数帯Ｇの減少とともに、抽出されたフィード・バック信号のスペクトル情報への損害を、大幅に減らすことができ、こうして、検出精度を確保できる。
Ｓ５０９において、それぞれの時間帯に対応するＯＰＤのフィード・バック信号のスペクトル特性及びＲＰＤのフィード・バック信号のスペクトル特性を決定する。即ち、それぞれの時間帯に対応するＯＰＤのフィード・バック信号の最大振幅を選出し、且つ、それぞれ時間帯に対応するＲＰＤのフィード・バック信号の最大振幅を選出する。それぞれ時間帯におけるＲＰＤのフィード・バック信号の最大振幅と前記時間帯におけるＯＰＤのフィード・バック信号の最大振幅の比率を、前記時間帯に対応する基地局システムの誤差項を有する反射係数として決定する。ここで、いずれの時間帯に対応する、基地局システムの、誤差項を有する反射係数の計算式は、
【数５】
0006283769.tif 000006
である。
ここで、aは、前記時間帯に対応する基地局システムの的ＯＰＤのフィード・バック信号の最大振幅であり、bは、前記時間帯基地局システムにおける測定待機装置のＲＰＤのフィード・バック信号の最大振幅である。
【００３６】
Ｓ５１０において、基地局システムメモリから、事前に決定したシステムの誤差項を取り寄せる（ｒｅｔｒｉｅｖｉｎｇ）。
Ｓ５１１において、前記Ｓ５１０において取り寄せたシステムの誤差項により、それぞれ時間帯に対応する基地局システムの誤差項を有する反射係数を較正し、それぞれ時間帯に対応する基地局システムの実の反射係数を得る。ここで、前記システムの誤差項は、方向性誤差値と、反射追跡誤差値と、ソースミスマッチ誤差値とを含む。
好ましくは、プリセットしたシステムの誤差項により、それぞれ時間帯に対応する基地局システムの誤差項を有する反射係数を較正する式は、
【数６】
0006283769.tif 000007
である。
ここで、
Ｓ１１
は、システム実の反射係数であり、Ｄは方向性誤差値であり、
Ｒ
は、反射追跡誤差値であり、
Ｓ
は、ソースミスマッチ誤差値であり、
Γｍ
は、システムの、誤差項を有する反射係数である。
Ｓ５１２において、全時間帯に対応する較正後の基地局システムの実の反射係数の平均値
Γ
を計算し、
得られた平均値
Γ
を、基地局システムの反射係数とする。即ち、全時間帯に対応する較正後の基地局システムの実の反射係数を加算して、抽出されたＯＰＤ/ＲＰＤのフィード・バック信号の数Ｔで割る。
Ｓ５１３において、基地局システムの反射係数に基づき、基地局システムの、プリセットしたバンド幅
Ｂ２
範囲における定在波比を決定する。ここで、基地局システムの定在波比を決定する式は、
【数７】
0006283769.tif 000008
である。
ここで、ＶＳＷＲは、基地局システムの定在波比であり、
Γ
は、基地局システムの反射係数である。
【００３７】
図８に示すように、本発明に係る実施例により提供する定在波比を検出するための装置は、
基地局システムにより伝送したサービス信号の出力電力検出データ（ＯＰＤ）及び前記基地局における測定待機装置の反射電力検出データ（ＲＰＤ）を取得する電力データ取得ユニット８０１と、
第１プリセットしたバンド幅の範囲において、プリセットしたデータ長に基づき、複数の時間帯における、前記ＯＰＤのフィード・バック信号及び前記ＲＰＤのフィード・バック信号をそれぞれ抽出するフィード・バック信号の抽出ユニット８０２と、
それぞれの時間帯に対応するＯＰＤのフィード・バック信号のスペクトル特性及びＲＰＤのフィード・バック信号のスペクトル特性を決定し、それぞれの時間帯に対応するＯＰＤのフィード・バック信号のスペクトル特性及びＲＰＤのフィード・バック信号のスペクトル特性に基づき、基地局システムの反射係数を決定する反射係数の決定ユニット８０３と、
前記基地局システムの反射係数に基づき、基地局システムの、前記第１プリセットしたバンド幅の範囲内の定在波比を決定する定在波比の決定ユニット８０４とを備える。
【００３８】
好ましくは、前記反射係数の決定ユニット８０３は、それぞれの時間帯に対応するＯＰＤのフィード・バック信号のスペクトル特性及びＲＰＤのフィード・バック信号のスペクトル特性を決定する場合、それぞれの時間帯におけるＯＰＤのフィード・バック信号及びＲＰＤのフィード・バック信号に対し高速フーリエ変換を行い、それぞれ時間帯におけるＯＰＤのフィード・バック信号幅の最大振幅、及びそれぞれ時間帯におけるＲＰＤのフィード・バック信号幅の最大振幅を決定する。
好ましくは、前記反射係数の決定ユニット８０３は、それぞれの時間帯に対応するＯＰＤのフィード・バック信号のスペクトル特性及びＲＰＤのフィード・バック信号のスペクトル特性に基づき、基地局システムの反射係数を決定する場合、それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定する。プリセットしたシステムの誤差項によりそれぞれ時間帯に対応する基地局システムの誤差項を有する反射係数を較正して、それぞれ時間帯に対応する基地局システムの実の反射係数を得る。ここで、前記システムの誤差項は、方向性誤差値と、反射追跡誤差値と、ソースミスマッチ誤差値とを含む。全時間帯に対応する較正後の基地局システムの実の反射係数の平均値を計算し、得られた平均値を基地局システムの反射係数とする。
【００３９】
好ましくは、当該装置は、前記プリセットしたシステムの誤差項を決定するシステムの誤差項の決定ユニット８０５をさらに備える。
好ましくは、前記システムの誤差項の決定ユニット８０５は、基地局システムのショート、基地局システムのオープン及び整合負荷それぞれの場合に、基地局システムにより発送したプリセットしたトレーニングシーケンスのＲＰＤを取得する。
第２プリセットしたバンド幅の範囲において、プリセットしたデータ長に基づき、基地局システムのショート、オープン及び整合負荷の場合の、複数の時間帯における前記プリセットしたトレーニングシーケンスのＲＰＤのフィード・バック信号をそれぞれ抽出し、第２プリセットしたバンド幅の範囲は、第１プリセットしたバンド幅の範囲より大きく、且つ第１プリセットしたバンド幅の範囲を含む。
基地局システムのショート、オープン及び整合負荷の場合の、それぞれ時間帯に対応する前記プリセットしたトレーニングシーケンスのＲＰＤのフィード・バック信号のスペクトル特性を、決定する。
【００４０】
基地局システムのショートの場合の、それぞれ時間帯に対応する前記プリセットしたトレーニングシーケンスのＲＰＤのフィード・バック信号のスペクトル特性を用い、基地局システムのショートの場合の、基地局システムの誤差項を有する反射係数を決定する。整合負荷の場合の、それぞれ時間帯に対応する前記プリセットしたトレーニングシーケンスのＲＰＤのフィード・バック信号のスペクトル特性を用い、整合負荷の場合の、基地局システムの誤差項を有する反射係数を決定する。また、基地局システムのオープン場合の、それぞれ時間帯に対応する前記プリセットしたトレーニングシーケンスのＲＰＤのフィード・バック信号のスペクトル特性を用い、基地局システムのオープン場合の、基地局システムの誤差項を有する反射係数を決定する。
基地局システムのショート、基地局システムのオープン及び整合負荷の場合の、基地局システムの誤差項を有する反射係数に基づき、基地局システムの誤差項を決定する。
好ましくは、前記反射係数の決定ユニット８０３は、それぞれ時間帯のＯＰＤのフィード・バック信号幅の最大振幅及び前記時間帯におけるＲＰＤのフィード・バック信号幅の最大振幅に基づき、前記時間帯に対応する基地局システムの誤差項を有する反射係数を決定する場合、それぞれ時間帯におけるＲＰＤのフィード・バック信号の最大振幅と前記時間帯におけるＯＰＤのフィード・バック信号の最大振幅の比率を、前記時間帯に対応する基地局システムの誤差項を有する反射係数として決定する。
【００４１】
好ましくは、前記電力データ取得ユニット８０１は、基地局システムにより発送されたサービス信号の出力電力検出データ（ＯＰＤ）及び前記基地局における測定待機装置の反射電力検出データ（ＲＰＤ）を取得した後、前記取得した基地局システムにより発送したサービス信号のＯＰＤ及び取得した基地局システムにおける測定待機装置のＲＰＤに対し直流除去処理を行う。
前記直流除去された後のＯＰＤ及び直流除去された後の基地局システムにおける測定待機装置のＲＰＤに対し、ミラー信号の較正処理を行う。
前記ミラー信号の較正処理された後のＯＰＤ及びミラー信号の較正処理された後の基地局システムにおける測定待機装置のＲＰＤに対し、電力幅較正処理を行う。
前記電力幅較正処理後のＯＰＤ及び電力幅較正処理後の基地局システムにおける測定待機装置のＲＰＤに対し、同期補償処理を行う。
好ましくは、本発明に係る実施例における前記電力データ取得ユニット８０１、フィード・バック信号の抽出ユニット８０２、反射係数の決定ユニット８０３、定在波比の決定ユニット８０４、およびシステムの誤差項の決定ユニット８０５のいずれも、プロセッサにより実行できる。
【００４２】
よって、本発明は、改善した周波数領域反射率技術及びベクターネットワーク・アナライザ的単一ポートの較正技術を踏まえ、ＴＤ−ＬＴＥ基地局システムにより発送したダウンリンクサービス信号のみを用いて、基地局システムに対して、定在波比を頻繁、且つリアルタイムに検出して、定在波比検結果を正確に取得することができる。こうして、定在波比の快速検出の目的を達成し、従来技術において、特定トレーニングシーケンスの発送によるＴＤ−ＬＴＥ通信システムへの余計な干渉を防ぐことができる。従来の基地局システムにハードウェアコストを別途に増設しなくてもよく、基地局システムのわずかな分量の計算リソースを採用することにより、基地局の定在波比正確かつ快速に検出する機能を実現する。基地局のハードウェア保守及び検出者として、基地局装置の定在波比を検出する場合、鈍重且つ高価な機器を必要とせず、ショート、オープン及び整合負荷場合の較正も要さず、基地局システム内のメモリに格納された較正データのみを利用することにより、基地局システムの定在波比を正確かつ快速に検出する機能を発揮できる。
【００４３】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【００４４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００４５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
上述した実施形態に記述された技術的な解決手段を改造し、或いはその中の一部の技術要素を置換することもできる。そのような、改造と置換は本発明の各実施形態の技術の範囲から逸脱するとは見なされない。
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
本出願は、２０１４年９月１日に中国特許局に提出し、出願番号が２０１４１０４４１６８７.２であり、発明名称が「定在波比を検出するための方法及び装置」との中国特許出願を基礎とする優先権を主張し、その開示の総てをここに取り込む。
【図１】
0006283769.tif 000009
【図２】
0006283769.tif 000010
【図３】
0006283769.tif 000011
【図４】
0006283769.tif 000012
【図５】
0006283769.tif 000013
【図６】
0006283769.tif 000014
【図７】
0006283769.tif 000015
【図８】
0006283769.tif 000016